(57)【要約】【課題】  電話機の４端子モジュラーケーブルの接続パターンを高精度に識別する。【解決手段】  電話機本体との接続を切離し、受話器に接続された４端子モジュラーケーブルの２つの端子に交流信号を供給して受話器のインピーダンスを測定する処理を、２つの端子の組合せを複数パターンに切替えて行う測定手段２１〜２３，３１，３４，３５と、この複数パターンの端子の組合せのうち、測定されたインピーダンスが小さい組の順に、所定数の組を、その電話機におけるスピーカ接続用の端子及びマイク接続用の端子の候補として選定する選定手段３５と、電話機本体に接続された４端子モジュラーケーブルの２つの端子から供給されるダイヤルトーン信号のレベルを測定する処理を、２つの端子の組合せをこの所定数の組に切替えて行う測定手段２３，３４，３５と、測定されたトーンレベルが最大，最小の組を、その電話機におけるスピーカ接続用の２つの端子，マイクロホン接続用の２つの端子として識別する識別手段３５とを備える。【選択図】  図４
2006005473.tif 000002
【特許請求の範囲】
【請求項１】
電話機本体と受話器とが４端子モジュラーケーブルで接続される電話機の前記電話機本体と前記受話器との間に接続されるとともに、外部音声入出力装置に接続され、前記電話機本体を前記受話器と前記外部音声入出力装置とのいずれに接続するかを切り替える電話機用スイッチ装置において、
前記電話機本体との接続を切り離し、前記受話器に接続されている４端子モジュラーケーブルのうちの２つの端子に交流信号を供給して前記受話器のインピーダンスを測定する処理を、前記２つの端子の組合せを複数パターンに切り替えて行うインピーダンス測定手段と、
前記複数パターンの端子の組合せのうち、前記インピーダンス測定手段でのインピーダンスの測定レベルが小さい組の順に、所定数の組を、前記電話機におけるスピーカ接続用の端子及びマイクロホン接続用の端子の候補として選定する候補選定手段と、
前記電話機本体に接続されている４端子モジュラーケーブルのうちの２つの端子から供給されるダイヤルトーン信号のレベルを測定する処理を、前記２つの端子の組合せを、前記候補選定手段で選定された前記所定数の組に切り替えて行うトーンレベル測定手段と、
前記所定数の組のうち、前記トーンレベル測定手段での測定レベルが最大の組を、前記電話機におけるスピーカ接続用の２つの端子として識別し、前記トーンレベル測定手段での測定レベルが最小の組を、前記電話機におけるマイクロホン接続用の２つの端子として識別する識別手段と
を備えたことを特徴とする電話機用スイッチ装置。
【請求項２】
請求項１に記載の電話機用スイッチ装置において、
前記インピーダンス測定手段は、前記２つの端子の組合せを６つのパターンに切り替えることを特徴とする電話機用スイッチ装置。
【請求項３】
請求項１に記載の電話機用スイッチ装置において、
前記候補選定手段は、前記インピーダンス測定手段でのインピーダンスの測定レベルが所定の閾値を超えている場合には、異常と判定することを特徴とする電話機用スイッチ装置。
【請求項４】
請求項１に記載の電話機用スイッチ装置において、
前記候補選定手段は、前記複数パターンの端子の組合せのうち、インピーダンスが所定の閾値未満である組を除外して前記候補を選定することを特徴とする電話機用スイッチ装置。
【請求項５】
請求項１に記載の電話機用スイッチ装置において、
前記候補選定手段は、前記複数パターンの端子の組合せのうち、インピーダンスの測定レベルが２番目に小さい組と４番目以降に小さい組との測定レベルの差が一定以下である場合には、インピーダンスの測定レベルが最も小さい組と、４端子モジュラーケーブルの残りの２つの端子の組との２組を、前記候補として選定することを特徴とする電話機用スイッチ装置。
【請求項６】
請求項１に記載の電話機用スイッチ装置において、
前記候補選定手段は、前記複数パターンの端子の組合せのうち、インピーダンスの測定レベルが２番目に小さい組と３番目に小さい組との測定レベルの差が一定以下である場合には、インピーダンスの測定レベルが最小の組と、インピーダンスの測定レベルが２番目に小さい組と、インピーダンスの測定レベルが３番目に小さい組との３組を前記候補として選定し、それ以外の場合には、インピーダンスの測定レベルが最小の組と、インピーダンスの測定レベルが２番目に小さい組との２組を前記候補として選定することを特徴とする電話機用スイッチ装置。
【請求項７】
請求項１に記載の電話機用スイッチ装置において、
前記候補選定手段は、前記候補として選定した前記所定数の組と、前記インピーダンス測定手段でのインピーダンスの測定レベルが最大の組との測定レベルの差が所定の閾値以下である場合には、異常と判定することを特徴とする電話機用スイッチ装置。
【請求項８】
請求項１に記載の電話機用スイッチ装置において、
前記識別手段は、前記トーンレベル測定手段での測定レベルが、前記所定数の組の全てについて所定の閾値以下である場合には、異常と判定することを特徴とする電話機用スイッチ装置。
【請求項９】
請求項１に記載の電話機用スイッチ装置において、
前記識別手段は、前記トーンレベル測定手段での測定レベルが、前記所定数の組の全てについて所定の閾値以上である場合には、異常と判定することを特徴とする電話機用スイッチ装置。
【請求項１０】
請求項３，７，８または９に記載の電話機用スイッチ装置において、
異常と判定されたことを表示する表示手段
をさらに備えたことを特徴とする電話機用スイッチ装置。
【請求項１１】
請求項１に記載の電話機用スイッチ装置において、
前記電話機本体と前記外部音声入出力装置との接続時に、前記電話機本体に接続されている４端子モジュラーケーブルのうち、前記識別手段によってスピーカ接続用の端子として識別された２つの端子を前記外部音声入出力装置のスピーカに接続し、前記識別手段によってマイクロホン接続用の端子として識別された２つの端子を前記外部音声入出力装置のマイクロホンに接続する接続設定手段
をさらに備えたことを特徴とする電話機用スイッチ装置。
【請求項１２】
電話機の電話機本体と受話器とを接続する４端子モジュラーケーブルの接続パターンの識別方法において、
前記電話機本体と前記受話器との接続を切り離し、前記受話器に接続されている４端子モジュラーケーブルのうちの２つの端子に交流信号を供給して前記受話器のインピーダンスを測定する処理を、前記２つの端子の組合せを複数パターンに切り替えて行うインピーダンス測定ステップと、
前記複数パターンの端子の組合せのうち、前記インピーダンス測定ステップでのインピーダンスの測定レベルが小さい組の順に、所定数の組を、前記電話機におけるスピーカ接続用の端子及びマイクロホン接続用の端子の候補として選定する候補選定ステップと、
前記電話機本体に接続されている４端子モジュラーケーブルのうちの２つの端子から供給されるダイヤルトーン信号のレベルを測定する処理を、前記２つの端子の組合せを、前記候補選定ステップで選定された前記所定数の組に切り替えて行うトーンレベル測定ステップと、
前記所定数の組のうち、前記トーンレベル測定ステップでの測定レベルが最大の組を、前記電話機におけるスピーカ接続用の２つの端子として識別し、前記トーンレベル測定ステップでの測定レベルが最小の組を、前記電話機におけるマイクロホン接続用の２つの端子として識別する識別ステップと
を有することを特徴とする電話機の４端子モジュラーケーブルの接続パターン識別方法。
【発明の詳細な説明】
【技術分野】
【０００１】
本発明は、電話機本体と受話器とが４端子モジュラーケーブルで接続される電話機を用いて、受話器の代わりに外部音声入出力装置で通話を行うためのスイッチ装置、及び、電話機の電話機本体と受話器とを接続する４端子モジュラーケーブルの接続パターンの識別方法に関する。
【背景技術】
【０００２】
電話機本体と受話器（ハンドセット）とを４端子モジュラーケーブルで接続した電話機が、オフィスや家庭に普及している。そうした電話機では、４端子モジュラーケーブルの４つの端子のうち、２つの端子は電話機本体と受話器のスピーカとを接続する（電話機本体からスピーカに音声信号を送る）ために用いられ、残りの２つの端子は電話機本体と受話器のマイクロホンとを接続する（マイクロホンから電話機本体に音声信号を送る）ために用いられる。
【０００３】
これらの４つの端子のうち、どの２つの端子をスピーカと接続するために用い、どの２つの端子をマイクロホンと接続するために用いるかは、規格化されていない。そのため、電話機メーカーによってこの接続パターンが異なっていたり、同じメーカーでも機種によってこの接続パターンが異なっているのが現状である。
【０００４】
そうした電話機を用いて、受話器の代わりに外部音声入出力装置（例えば、ヘッドセットや、スピーカとマイクロホンとが一体となった据え置き型の装置）で通話を行えるようにしたスイッチ装置が市販されている。この電話機用スイッチ装置は、電話機本体と受話器との間に接続される（電話機本体，受話器にそれぞれ４端子モジュラーケーブルで接続される）とともに外部音声入出力装置に接続され、電話機本体を受話器と外部音声入出力装置とのいずれに接続するかを切り替えるものである。
【０００５】
そして、前述のように４端子モジュラーケーブルの接続パターンが電話機のメーカーや機種によって異なっていることから、この電話機用スイッチ装置では、電話機本体に接続されている４端子モジュラーケーブルのうち、どの２つの端子を外部音声入出力装置のスピーカに接続してどの２つの端子を外部音声入出力装置のマイクロホンに接続するかの設定を、その電話機における４端子モジュラーケーブルの接続パターンに応じて行う必要がある。
【０００６】
従来、この電話機用スイッチ装置としては、こうした外部音声入出力装置との接続の設定を、４端子モジュラーケーブルの接続パターンの一覧表を見ながらユーザーが手動で行うようにしたものが存在していた（例えば、非特許文献１参照。）。
【０００７】
あるいは、電話機本体からダイヤルトーン信号を発生させた状態で、スイッチ装置に設けられた‘学習ボタン’を押すことにより、その電話機における４端子モジュラーケーブルの接続パターンを識別して、外部音声入出力装置との接続の設定を自動的に行うようにしたものも存在していた（但し、ダイヤルトーン信号に基づく具体的な処理内容は記載されていない）（例えば、非特許文献２参照。）。
【非特許文献１】ＰＬＡＮＴＲＯＮＩＣＳ社『ＴＥＬＥＰＨＯＮＥ  ＨＥＡＤＳＥＴ  取扱説明書＆保証書』の「Ｍ１２電話用モジュラーアダプター」の欄。
【非特許文献２】ＰＯＬＹＣＯＭ社『ＳＯＵＮＤ  ＳＴＡＴＩＯＮ  ＩＴＡ  ＤＩＧＩＴＡＬ  ＡＤＡＰＴＥＲ  ＵＳＥＲ  ＧＵＩＤＥ』の「Ｓｅｔ  Ｓｏｕｎｄ  Ｓｔａｔｉｏｎ  ＩＴＡ  ｔｏ  Ｌｅａｒｎ  Ｙｏｕｒ  Ｐｈｏｎｅ  ｓｔｅｐ２」の欄。
【発明の開示】
【発明が解決しようとする課題】
【０００８】
しかし、上記非特許文献１に記載のような手動での設定は、ユーザーにとって負担が大きいとともに、接続の設定を間違えてしまう可能性も少なくない。
【０００９】
また、上記非特許文献２には具体的な処理内容は記載されていないが、少なくとも、ダイヤルトーン信号のみに基づいて４端子モジュラーケーブルの接続パターンを識別する方法では、接続パターンを高精度に識別することは困難であると考えられる。
【００１０】
本発明は、上述の点に鑑み、電話機用スイッチ装置において、電話機用スイッチ装置に接続されている電話機の４端子モジュラーケーブルの接続パターンを高精度に識別できるようにすることを課題としてなされたものである。
【課題を解決するための手段】
【００１１】
この課題を解決するために、本発明は、電話機本体と受話器とが４端子モジュラーケーブルで接続される電話機の電話機本体と受話器との間に接続されるとともに、外部音声入出力装置に接続され、電話機本体を受話器と外部音声入出力装置とのいずれに接続するかを切り替える電話機用スイッチ装置において、電話機本体との接続を切り離し、受話器に接続されている４端子モジュラーケーブルのうちの２つの端子に交流信号を供給して受話器のインピーダンスを測定する処理を、２つの端子の組合せを複数パターンに切り替えて行うインピーダンス測定手段と、この複数パターンの端子の組合せのうち、このインピーダンス測定手段でのインピーダンスの測定レベルが小さい組の順に、所定数の組を、その電話機におけるスピーカ接続用の端子及びマイクロホン接続用の端子の候補として選定する候補選定手段と、電話機本体に接続されている４端子モジュラーケーブルのうちの２つの端子から供給されるダイヤルトーン信号のレベルを測定する処理を、２つの端子の組合せを、この候補選定手段で選定されたこの所定数の組に切り替えて行うトーンレベル測定手段と、この所定数の組のうち、このトーンレベル測定手段での測定レベルが最大の組を、その電話機におけるスピーカ接続用の２つの端子として識別し、トーンレベル測定手段での測定レベルが最小の組を、その電話機におけるマイクロホン接続用の２つの端子として識別する識別手段とを備えたことを特徴とする。
【００１２】
この電話機用スイッチ装置では、まず、インピーダンス測定手段により、電話機の電話機本体との接続が切り離され（したがって電話機本体と受話器との接続が切り離され）、受話器に接続されている４端子モジュラーケーブルのうちの２つの端子にのみ交流信号を供給して受話器のインピーダンスを測定する処理が、２つの端子の組合せを複数パターン（例えば６つのパターン）に切り替えて行われる。
【００１３】
通常の場合には、この複数パターンの端子の組合せのうち、その電話機におけるスピーカ接続用の２つの端子の組でインピーダンスが最小になり、その電話機におけるマイクロホン接続用の２つの端子の組でインピーダンスが２番目に小さくなる。
【００１４】
そこで、候補選定手段により、インピーダンス測定手段でのインピーダンスの測定レベルが小さい組の順に、所定数の組が、その電話機におけるスピーカ接続用の端子及びマイクロホン接続用の端子の候補として選定される。
【００１５】
続いて、トーンレベル測定手段により、電話機本体に接続されている４端子モジュラーケーブルのうちの２つの端子から供給されるダイヤルトーン信号のレベルを測定する処理が、２つの端子の組合せを、候補選定手段で選定された所定数の組に切り替えて行われる。
【００１６】
通常の場合には、４端子モジュラーケーブルのうち、その電話機におけるスピーカ接続用の２つの端子の組でダイヤルトーン信号のレベルが最大になり、その電話機におけるマイクロホン接続用の２つの端子の組でダイヤルトーン信号のレベルが最小になる。
【００１７】
そこで、識別手段により、この所定数の組のうち、トーンレベル測定手段での測定レベルが最大の組が、その電話機におけるスピーカ接続用の２つの端子として識別され、トーンレベル測定手段での測定レベルが最小の組が、その電話機におけるマイクロホン接続用の２つの端子として識別される。
【００１８】
このように、この電話機用スイッチ装置では、
（ａ）受話器に接続される４端子モジュラーケーブルのうち、スピーカ接続用の２つの端子の組に交流信号を供給した場合やマイクロホン接続用の２つの端子の組に交流信号を供給した場合の受話器のインピーダンスが小さくなることと、
（ｂ）電話機本体に接続される４端子モジュラーケーブルのうち、スピーカ接続用の２つの端子の組でダイヤルトーン信号のレベルが最大になり、マイクロホン接続用の２つの端子の組でダイヤルトーン信号のレベルが最小になることと
の２つを利用して電話機の４端子モジュラーケーブルの接続パターンを識別する。これにより、電話機用スイッチ装置に接続されている電話機の４端子モジュラーケーブルの接続パターンを高精度に識別することができる。
【００１９】
なお、この電話機用スイッチ装置において、一例として、候補選定手段は、インピーダンス測定手段でのインピーダンスの測定レベルが所定の閾値を超えている場合には、異常と判定することが好適である。
【００２０】
受話器のインピーダンス測定時に、この電話機用スイッチ装置に受話器ではなく誤って電話機本体のほうが接続されていると、電話機本体からのダイヤルトーン信号等を検出することにより、インピーダンスの測定値が非常に大きくなる。そこで、インピーダンスの測定レベルが所定の閾値を超えている場合には、異常と判定することにより、受話器のほうを接続し直した上で、改めて電話機の４端子モジュラーケーブルの接続パターンを高精度に識別することができるようになる。
【００２１】
また、この電話機用スイッチ装置において、一例として、候補選定手段は、複数パターンの端子の組合せのうち、インピーダンスが所定の閾値未満である組を除外して候補を選定することが好適である。
【００２２】
４端子モジュラーケーブルのうちのいずれか２つの端子が互いに電気的に短絡（ショート）していると、その端子の組についてのインピーダンスの測定値が非常に小さくなる。そこで、インピーダンスが所定の閾値未満の組を除外して候補を選定することにより、こうした短絡が起きている場合にも、電話機の４端子モジュラーケーブルの接続パターンを高精度に識別することができるようになる。
【００２３】
また、この電話機用スイッチ装置において、一例として、候補選定手段は、複数パターンの端子の組合せのうち、インピーダンスの測定レベルが２番目に小さい組と４番目以降に小さい組との測定レベルの差が一定以下である場合には、インピーダンスの測定レベルが最も小さい組と、４端子モジュラーケーブルの残りの２つの端子の組との２組を候補として選定することが好適である。
【００２４】
受話器に用いられているマイクロホンの種類によっては、４端子モジュラーケーブルのうちのマイクロホン接続用の２つの端子の組とスピーカ接続用，マイクロホン接続用の１つずつの端子の組とでインピーダンスにほとんど差がなく、その結果、インピーダンスの測定レベルが２番目に小さい組と４番目以降に小さい組とで測定レベルが同じになるかまたはほとんど差がなくなる（それらの組のうちのどれがマイクロホン接続用の２つの端子であるか区別し難い）ことがある。そこで、インピーダンスの測定レベルが２番目に小さい組と４番目以降に小さい組との測定レベルの差が一定以下である場合（差がゼロ＝同じである場合も含む）には、インピーダンスの測定レベルが最も小さい組と、４端子モジュラーケーブルの残りの２つの端子の組との２組を候補として選定することにより、マイクロホンの種類にかかわらず、電話機の４端子モジュラーケーブルの接続パターンを高精度に識別することができるようになる。
【００２５】
また、この電話機用スイッチ装置において、一例として、候補選定手段は、複数パターンの端子の組合せのうち、インピーダンスの測定レベルが２番目に小さい組と３番目に小さい組との測定レベルの差が一定以下である場合には、インピーダンスの測定レベルが最小の組と、インピーダンスの測定レベルが２番目に小さい組と、インピーダンスの測定レベルが３番目に小さい組との３組を候補として選定し、それ以外の場合には、インピーダンスの測定レベルが最小の組と、インピーダンスの測定レベルが２番目に小さい組との２組を候補として選定することが好適である。
【００２６】
電話機のメーカーや機種によっては、４端子モジュラーケーブルのうちの同じ１つの端子を、スピーカ接続用の端子とマイクロホン接続用の端子とに共用していることがある。この電話機用スイッチ装置がそうした電話機に接続されている場合には、マイクロホン専用の端子とスピーカ・マイクロホン共用の端子とでインピーダンスにほとんど差がなく、その結果、インピーダンスの測定レベルが２番目に小さい組と３番目に小さい組とで測定レベルが同じになるかまたはほとんど差がなくなる（それらの組のうちのどれがマイクロホン接続用の２つの端子であるか区別し難い）ことがある。そこで、インピーダンスが２番目に小さい組とインピーダンスが３番目に小さい組とで測定レベルの差が一定以下である場合（差がゼロ＝同じである場合も含む）には、インピーダンスの測定レベルが最小の組と２番目に小さい組との２組だけでなく、インピーダンスの測定レベルが３番目に小さい組をも候補として選定することにより、１つの端子をスピーカ接続用の端子とマイクロホン接続用の端子とに共用している電話機についても、４端子モジュラーケーブルの接続パターンを高精度に識別することができるようになる。
【００２７】
また、この電話機用スイッチ装置において、一例として、候補選定手段は、候補として選定した所定数の組と、インピーダンス測定手段でのインピーダンスの測定レベルが最大の組との測定レベルの差が所定の閾値以下である場合には、異常と判定することが好適である。
【００２８】
この電話機用スイッチ装置に誤って受話器が接続されていないと、複数パターンの端子の組合せのうちのどの組でのインピーダンス測定レベルにもほとんど差がなくなる。そこで、候補として選定した所定数の組とインピーダンスの測定レベルが最大の組との測定レベルの差が所定の閾値以下である場合には異常と判定することにより、受話器を接続した上で、改めて電話機の４端子モジュラーケーブルの接続パターンを高精度に識別することができるようになる。
【００２９】
また、この電話機用スイッチ装置において、一例として、識別手段は、トーンレベル測定手段での測定レベルが、所定数の組の全てについて所定の閾値以下である場合には、異常と判定することが好適である。
【００３０】
この電話機用スイッチ装置に誤って電話機本体が接続されていないと、ダイヤルトーン信号が供給されず、電話機本体に接続されている４端子モジュラーケーブルのうちのスピーカ接続用の２つの端子の組でもダイヤルトーン信号の測定レベルが非常に小さくなる。そこで、所定数のパターンの組合せの全てについてダイヤルトーン信号の測定レベルが所定の閾値未満である場合には、異常と判定することにより、電話機本体を接続した上で、改めて電話機の４端子モジュラーケーブルの接続パターンを高精度に識別することができるようになる。
【００３１】
また、この電話機用スイッチ装置において、一例として、識別手段は、トーンレベル測定手段での測定レベルが、所定数の組の全てについて所定の閾値以上である場合には、異常と判定することが好適である。
【００３２】
マイクロホン接続用の２つの端子の組については、ダイヤルトーン信号の測定レベルは、或る一例のレベル以下になると考えられる。そこで、所定数のパターンの組合せの全てについてダイヤルトーン信号の測定レベルが所定の閾値を超えている場合には、異常（候補として選定された所定数の組の中に、マイクロホン接続用の２つの端子の組が含まれていなかった）と判定することにより、候補の選定をやり直すことができるようになる。
【００３３】
また、この電話機用スイッチ装置において、一例として、候補選定手段や識別手段で異常と判定されたことを表示する表示手段をさらに備えることが好適である。それにより、ユーザーが、異常があったことをすばやく確認することができるようになる。
【００３４】
また、この電話機用スイッチ装置において、一例として、電話機本体と外部音声入出力装置との接続時に、電話機本体に接続されている４端子モジュラーケーブルのうち、識別手段によってスピーカ接続用の端子として識別された２つの端子を外部音声入出力装置のスピーカに接続し、識別手段によってマイクロホン接続用の端子として識別された２つの端子を外部音声入出力装置のマイクロホンに接続する接続設定手段をさらに備えることが好適である。
【００３５】
それにより、電話機の４端子モジュラーケーブルの接続パターンを高精度に識別した上で、外部音声入出力装置との接続の設定を自動的に行うことができるようになる。
【００３６】
次に、本発明は、電話機の電話機本体と受話器とを接続する４端子モジュラーケーブルの接続パターンの識別方法において、電話機本体と受話器との接続を切り離し、受話器に接続されている４端子モジュラーケーブルのうちの２つの端子に交流信号を供給して受話器のインピーダンスを測定する処理を、２つの端子の組合せを複数パターンに切り替えて行うインピーダンス測定ステップと、この複数パターンの端子の組合せのうち、このインピーダンス測定ステップでのインピーダンスの測定レベルが小さい組の順に、所定数の組を、その電話機におけるスピーカ接続用の端子及びマイクロホン接続用の端子の候補として選定する候補選定ステップと、電話機本体に接続されている４端子モジュラーケーブルのうちの２つの端子から供給されるダイヤルトーン信号のレベルを測定する処理を、２つの端子の組合せを、この候補選定ステップで選定された所定数の組に切り替えて行うトーンレベル測定ステップと、この所定数の組のうち、このトーンレベル測定ステップでの測定レベルが最大の組を、その電話機におけるスピーカ接続用の２つの端子として識別し、このトーンレベル測定ステップでの測定レベルが最小の組を、その電話機におけるマイクロホン接続用の２つの端子として識別する識別ステップとを有することを特徴とする。
【００３７】
この電話機の４端子モジュラーケーブルの接続パターンの識別方法では、まず、インピーダンス測定ステップで、電話機本体と受話器との接続が切り離され、受話器に接続されている４端子モジュラーケーブルのうちの２つの端子にのみ交流信号を供給して受話器のインピーダンスを測定する処理が、２つの端子の組合せを複数パターンに切り替えて行われる。
【００３８】
通常の場合には、この複数パターンの端子の組合せのうち、その電話機におけるスピーカ接続用の２つの端子の組でインピーダンスが最小になり、その電話機におけるマイクロホン接続用の２つの端子の組でインピーダンスが２番目に小さくなる。
【００３９】
そこで、候補選定ステップで、インピーダンス測定ステップでのインピーダンスの測定レベルが小さい組の順に、所定数の組が、その電話機におけるスピーカ接続用の端子及びマイクロホン接続用の端子の候補として選定される。
【００４０】
続いて、トーンレベル測定ステップで、電話機本体に接続されている４端子モジュラーケーブルのうちの２つの端子から供給されるダイヤルトーン信号のレベルを測定する処理が、２つの端子の組合せを、候補選定ステップで選定された所定数の組に切り替えて行われる。
【００４１】
通常の場合には、４端子モジュラーケーブルのうち、その電話機におけるスピーカ接続用の２つの端子の組でダイヤルトーン信号のレベルが最大になり、その電話機におけるマイクロホン接続用の２つの端子の組でダイヤルトーン信号のレベルが最小になる。
【００４２】
そこで、識別ステップで、この所定数の組のうち、トーンレベル測定ステップでの測定レベルが最大の組が、その電話機におけるスピーカ接続用の２つの端子として識別され、トーンレベル測定ステップでの測定レベルが最小の組が、その電話機におけるマイクロホン接続用の２つの端子として識別される。
【００４３】
このように、この接続パターンの識別方法では、
（ａ）受話器に接続される４端子モジュラーケーブルのうち、スピーカ接続用の２つの端子の組に交流信号を供給した場合やマイクロホン接続用の２つの端子の組に交流信号を供給した場合の受話器のインピーダンスが小さくなることと、
（ｂ）電話機本体に接続される４端子モジュラーケーブルのうち、スピーカ接続用の２つの端子の組でダイヤルトーン信号のレベルが最大になり、マイクロホン接続用の２つの端子の組でダイヤルトーン信号のレベルが最小になることと
の２つを利用して電話機の４端子モジュラーケーブルの接続パターンを識別する。これにより、電話機用スイッチ装置に接続されている電話機の４端子モジュラーケーブルの接続パターンを高精度に識別することができる。
【発明の効果】
【００４４】
本発明によれば、電話機本体と受話器とが４端子モジュラーケーブルで接続される電話機を用いて、受話器の代わりに外部音声入出力装置で通話を行うための電話機用スイッチ装置において、電話機用スイッチ装置に接続されている電話機の４端子モジュラーケーブルの接続パターン（どの２つの端子をスピーカと接続するために用い、どの２つの端子をマイクロホンと接続するために用いているか）を、高精度に識別することができるという効果が得られる。
【００４５】
また、受話器のインピーダンス測定時に電話機用スイッチ装置に受話器ではなく誤って電話機本体のほうが接続されている場合には、異常と判定されるので、受話器のほうを接続し直した上で、改めて電話機の４端子モジュラーケーブルの接続パターンを高精度に識別することができるという効果が得られる。
【００４６】
また、４端子モジュラーケーブルのうちのいずれか２つの端子が互いに短絡している場合にも、電話機の４端子モジュラーケーブルの接続パターンを高精度に識別することができるという効果が得られる。
【００４７】
また、受話器に用いられているマイクロホンの種類にかかわらず、電話機の４端子モジュラーケーブルの接続パターンを高精度に識別することができるという効果が得られる。
【００４８】
また、４端子モジュラーケーブルの１つの端子をスピーカ接続用の端子とマイクロホン接続用の端子とに共用している電話機についても、４端子モジュラーケーブルの接続パターンを高精度に識別することができるという効果が得られる。
【００４９】
また、電話機用スイッチ装置に誤って受話器が接続されていない場合には、異常と判定されるので、受話器を接続した上で、改めて電話機の４端子モジュラーケーブルの接続パターンを高精度に識別することができるという効果が得られる。
【００５０】
また、電話機用スイッチ装置に誤って電話機本体が接続されていない場合にも、異常と判定されるので、電話機本体を接続した上で、改めて電話機の４端子モジュラーケーブルの接続パターンを高精度に識別することができるという効果が得られる。
【００５１】
また、候補として選定された所定数の組の中に、なんらかの原因でマイクロホン接続用の２つの端子の組が含まれていなかった場合にも、異常と判定されるので、候補の選定をやり直すことができるという効果が得られる。
【００５２】
また、ユーザーが、異常があったことをすばやく確認することができるという効果が得られる。
【００５３】
また、電話機の４端子モジュラーケーブルの接続パターンを高精度に識別した上で、外部音声入出力装置との接続の設定を自動的に行うことができるという効果が得られる。
【発明を実施するための最良の形態】
【００５４】
以下、本発明を図面を用いて具体的に説明する。図１は、本発明に係る電話機用スイッチ装置を用いたシステムの構成を示す図である。この電話機用スイッチ装置１は、電話機本体２と受話器３とが４端子モジュラーケーブルで接続される電話機を用いて、受話器３の代わりに外部音声Ｉ／Ｏ（入出力）装置４で通話を行うためのものである。
【００５５】
外部音声Ｉ／Ｏ装置４は、スピーカとマイクロホンとが一体となった据え置き型の装置である（図ではそうした据え置き型の装置の形状の一例を示しているが、外部音声Ｉ／Ｏ装置４の形状は如何なるものであってもよい）。
【００５６】
電話機用スイッチ装置１は、電話機本体２と受話器３との間に接続される（電話機本体２，受話器３にそれぞれ４端子モジュラーケーブルＣ１，Ｃ２で接続される）とともに、外部音声Ｉ／Ｏ装置４にケーブルＣ３（マイクロホン接続用の端子とスピーカ接続用の端子とを含む複数の端子を有するケーブル）で接続され、電話機本体２を受話器３と外部音声Ｉ／Ｏ装置４とのいずれに接続するかを切り替えるようになっている。
【００５７】
なお、以下の説明でも、電話機本体，受話器，外部音声Ｉ／Ｏ装置，各ケーブルを、それぞれ図１と同じ符号を付して電話機本体２，受話器３，外部音声Ｉ／Ｏ装置４，ケーブルＣ１，Ｃ２，Ｃ３と表記する。また、４端子モジュラーケーブルや４端子モジュラーケーブル用のモジュラージャックの４つの端子をＰ１〜Ｐ４と表記することにする。
【００５８】
図２は、この電話機用スイッチ装置１の外観構成を示す図であり、図２Ａは背面図、図２Ｂは側面図、図２Ｃは底面図である。図２Ａに示すように、電話機用スイッチ装置１の上面には、フックスイッチ１１が設けられている。また、電話機用スイッチ装置１の上面には、フックスイッチ１１の両側に、互いに異なる発光色の２個のＬＥＤ（発光ダイオード）１２が設けられている。
【００５９】
外部音声Ｉ／Ｏ装置４で通話を行うときには、受話器３をこのフックスイッチ１１に置くことによってオンフックするようになっている。図３は、受話器３をこのようにしてオンフックした状態を示している。
【００６０】
図２Ａに示すように、電話機用スイッチ装置１の背面には、電話機本体２に４端子モジュラーケーブルＣ１で接続するための電話機本体用モジュラージャック１３が設けられている。また、電話機用スイッチ装置１の背面には、外部音声Ｉ／Ｏ装置４にケーブルＣ３で接続するための外部音声Ｉ／Ｏ装置用コネクタ１５も設けられている。
【００６１】
図２Ｂに示すように、電話機用スイッチ装置１の側面には、受話器３に４端子モジュラーケーブルＣ２で接続するための受話器用モジュラージャック１４が設けられている。
【００６２】
図２Ｃに示すように、電話機用スイッチ装置１の底面には、接続設定釦１６が設けられている。この接続設定釦１６は、電話機用スイッチ装置１を初めて電話機に接続したときや、それまで接続していたのとは違うメーカーや機種の電話機に電話機用スイッチ装置１を接続したときに、ユーザーが、後述する接続パターン識別処理（図５，図６）を開始させるための釦である。電話機用スイッチ装置１には、このほかにもＡＣアダプターに接続するためのコネクタ等が設けられているが、本発明とは直接関係しないので説明を省略する。
【００６３】
図４は、この電話機用スイッチ装置１の回路構成を示すブロック図であり、図２と共通する部分には同一の符合を付している。電話機本体用モジュラージャック１３（図２Ａ）の４つの端子Ｐ１〜Ｐ４が、本体切離し用スイッチ２１の４つのスイッチ素子に１対１につながれている。本体切離し用スイッチ２１は、これらの４つのスイッチ素子を一斉にオンにして電話機本体２との接続を維持するか、これらの４つのスイッチ素子を一斉にオフにして電話機本体２との接続を切り離すかの切替えを行うためのスイッチである。
【００６４】
また、受話器用モジュラージャック１４（図２Ｂ）の４つの端子Ｐ１〜Ｐ４が、受話器切離し用スイッチ２４の４つのスイッチ素子に１対１につながれている。受話器切離し用スイッチ２４は、これらの４つのスイッチ素子を一斉にオンにして受話器３との接続を維持するか、これらの４つのスイッチ素子を一斉にオフにして受話器３との接続を切り離すかの切替えを行うためのスイッチである。
【００６５】
本体切離し用スイッチ２１の４つのスイッチ素子は、２行×４列のマトリクス型の接続設定用スイッチ２２の各列のラインに１対１につながれている。受話器切離し用スイッチ２４の４つのスイッチ素子は、２行×４列のマトリクス型の接続設定用スイッチ２３の各列のラインに１対１につながれている。これらの接続設定用スイッチ２２，２３は、各行のラインと各列のラインとの交点に、その行ラインとその列のラインとを接続するか否かを切り替えるスイッチ素子をそれぞれ有するものである（図ではこのスイッチ素子を丸印で描いている）。この接続設定用スイッチ２２の各列のラインと接続設定用スイッチ２３の各列のラインとは、１対１につながれている。
【００６６】
外部音声Ｉ／Ｏ装置用コネクタ１５（図２Ａ）の端子LINE IN（外部音声Ｉ／Ｏ装置４のマイクロホンとの接続用の端子）が、増幅器２７，エコーキャンセラ２８，アンプ２９，２入力１出力のスイッチ３０，トランス２５を介して、接続設定用スイッチ２２の各行のラインにつながれている。スイッチ３０のもう一方の入力端子には、受話器インピーダンス測定用発振器３１がつながれている。
【００６７】
接続設定用スイッチ２３の各行のラインは、トランス２６，増幅器３２，エコーキャンセラ２８，アンプ３３を介して外部音声Ｉ／Ｏ装置用コネクタ１５の端子LINE OUT（外部音声Ｉ／Ｏ装置４のスピーカとの接続用の端子）につながれるとともに、トランス２６を介してレベル検出器３４につながれている。
【００６８】
エコーキャンセラ２８は、外部音声Ｉ／Ｏ装置４においてスピーカから出た音声がマイクロホンで拾われることによるエコーの発生を防止するために設けられている。トランス２５．２６は、電話機本体２と電話機用スイッチ装置１内の回路とを電気的に絶縁するために設けられている。
【００６９】
受話器インピーダンス測定用発振器３１は、後述する接続パターン識別処理において、受話器３のインピーダンス測定用の所定周波数（例えば１ｋＨｚ）の交流信号（交流電圧）を生成するための回路であり、出力インピーダンスが例えば２００Ωになっている。レベル検出器３４は、このインピーダンス測定時に、受話器３からの信号の振幅レベルを検出するために設けられている。
【００７０】
マイクロコンピュータ３５は、通常の使用時（後述する接続パターン識別処理を終了し、受話器３または外部音声Ｉ／Ｏ装置４で通話を行うとき）には、フックスイッチ１１（図２Ａ）からの信号に基づき、各スイッチ２１〜２４を制御して、電話機本体２を受話器３と外部音声Ｉ／Ｏ装置４とのいずれに接続するかを切り替える。
【００７１】
すなわち、通常の使用時には、本体切離し用スイッチ２１を常にオンにする。そして、受話器３がオフフックされているときは、接続設定用スイッチ２２，２３の全てのスイッチ素子をオフにするとともに、受話器切離し用スイッチ２４をオンにする。これにより、電話機本体２と外部音声Ｉ／Ｏ装置４との接続が切り離されるとともに電話機本体２が受話器３に接続されるので、受話器３で通話を行うことができる。
【００７２】
また、受話器３がフックスイッチ１１（図２Ａ）に置かれることによってオンフックされる（図３）と、接続設定用スイッチ２２，２３のうち、後述する接続パターン識別処理で識別した接続パターンに対応するスイッチ素子をオンにするとともに、受話器切離し用スイッチ２４をオフにする。
【００７３】
また、マイクロコンピュータ３５は、受話器３がオフフックされている状態で、接続設定釦１６（図２Ｃ）が押されると、接続されている電話機（電話機本体２及び受話器３）における４端子モジュラーケーブルの接続パターン（どの２つの端子をスピーカと接続するために用い、どの２つの端子をマイクロホンと接続するために用いているか）を識別する処理を開始する。
【００７４】
図５，図６は、この接続パターン識別処理を示すフローチャートである。この処理では、最初に、本体切離し用スイッチ２１（図４）をオフにすることによって電話機本体２との接続を切り離すとともに、受話器切離し用スイッチ２４（図４）をオンにし、スイッチ３０（図４）を受話器インピーダンス測定用発振器３１（図４）側に切り替える（ステップＳ１）。そして、受話器インピーダンス測定用発振器３１に前述の交流信号を生成させる（ステップＳ２）。
【００７５】
続いて、接続設定用スイッチ２２，２３（図４）を６つのパターンに切り替えつつ、レベル検出器３４（図４）で検出される受話器３からの信号の振幅レベルに基づき、受話器３のインピーダンスの相対レベルを測定する（ステップＳ３）。
【００７６】
このステップＳ３における６つのパターンを、図７及び図８を用いて説明する。４端子モジュラーケーブルの４つの端子Ｐ１〜Ｐ４のうちのどの２つの端子をスピーカと接続するために用いてどの２つの端子をマイクロホンと接続するために用いるかという接続パターンには、１つの端子をスピーカとマイクロホンとに共用する場合を除けば、４×３÷２＝６通りのパターンが存在し得る。
【００７７】
図７は、この６つのパターンを示しており、スピーカ，マイクロホンをそれぞれＳＰ，ＭＣと表記している。パターン１では、端子Ｐ１，Ｐ２がマイクロホン接続用の端子であり、端子Ｐ３，Ｐ４がスピーカ接続用の端子である。パターン２では、端子Ｐ１，Ｐ３がマイクロホン接続用の端子であり、端子Ｐ２，Ｐ４がスピーカ接続用の端子である。パターン３では、端子Ｐ１，Ｐ４がマイクロホン接続用の端子であり、端子Ｐ２，Ｐ３がスピーカ接続用の端子である。パターン４では、端子Ｐ２，Ｐ３がマイクロホン接続用の端子であり、端子Ｐ１，Ｐ４がスピーカ接続用の端子である。パターン５では、端子Ｐ２，Ｐ４がマイクロホン接続用の端子であり、端子Ｐ１，Ｐ３がスピーカ接続用の端子である。パターン６では、端子Ｐ３，Ｐ４がマイクロホン接続用の端子であり、端子Ｐ１，Ｐ２がスピーカ接続用の端子である。
【００７８】
電話機用スイッチ装置１に接続されている電話機における４端子モジュラーケーブルの接続パターンがこの図７のパターン１である場合には、接続設定用スイッチ２２を、図８のパターン１のように、端子Ｐ１，Ｐ２に対応する列ラインと行ラインとの交点のスイッチ素子のみをオン（図ではオンにしたスイッチ素子に斜線を付している）にするように切り替えれば、電話機本体２に接続されている４端子モジュラーケーブルＣ１のうちのマイクロホン接続用の端子Ｐ１，Ｐ２が、外部音声Ｉ／Ｏ装置４のマイクロホンに接続される。
【００７９】
また、電話機用スイッチ装置１に接続されている電話機における４端子モジュラーケーブルの接続パターンがこの図７のパターン２である場合には、接続設定用スイッチ２２を、図８のパターン２のように、端子Ｐ１，Ｐ３に対応する列ラインと行ラインとの交点のスイッチ素子のみをオンにするように切り替えれば、電話機本体２に接続されている４端子モジュラーケーブルＣ１のうちのマイクロホン接続用の端子Ｐ１，Ｐ３が、外部音声Ｉ／Ｏ装置４のマイクロホンに接続される。
【００８０】
また、電話機用スイッチ装置１に接続されている電話機における４端子モジュラーケーブルの接続パターンがこの図７のパターン３である場合には、接続設定用スイッチ２２を、図８のパターン３のように、端子Ｐ１，Ｐ４に対応する列ラインと行ラインとの交点のスイッチ素子のみをオンにするように切り替えれば、電話機本体２に接続されている４端子モジュラーケーブルＣ１のうちのマイクロホン接続用の端子Ｐ１，Ｐ４が、外部音声Ｉ／Ｏ装置４のマイクロホンに接続される。
【００８１】
また、電話機用スイッチ装置１に接続されている電話機における４端子モジュラーケーブルの接続パターンがこの図７のパターン４である場合には、接続設定用スイッチ２２を、図８のパターン４のように、端子Ｐ２，Ｐ３に対応する列ラインと行ラインとの交点のスイッチ素子のみをオンにするように切り替えれば、電話機本体２に接続されている４端子モジュラーケーブルＣ１のうちのマイクロホン接続用の端子Ｐ２，Ｐ３が、外部音声Ｉ／Ｏ装置４のマイクロホンに接続される。
【００８２】
また、電話機用スイッチ装置１に接続されている電話機における４端子モジュラーケーブルの接続パターンがこの図７のパターン５である場合には、接続設定用スイッチ２２を、図８のパターン５のように、端子Ｐ２，Ｐ４に対応する列ラインと行ラインとの交点のスイッチ素子のみをオンにするように切り替えれば、電話機本体２に接続されている４端子モジュラーケーブルＣ１のうちのマイクロホン接続用の端子Ｐ２，Ｐ４が、外部音声Ｉ／Ｏ装置４のマイクロホンに接続される。
【００８３】
また、電話機用スイッチ装置１に接続されている電話機における４端子モジュラーケーブルの接続パターンがこの図７のパターン６である場合には、接続設定用スイッチ２２を、図８のパターン６のように、端子Ｐ３，Ｐ４に対応する列ラインと行ラインとの交点のスイッチ素子のみをオンにするように切り替えれば、電話機本体２に接続されている４端子モジュラーケーブルＣ１のうちのマイクロホン接続用の端子Ｐ３，Ｐ４が、外部音声Ｉ／Ｏ装置４のマイクロホンに接続される。
【００８４】
図５のステップＳ３では、接続設定用スイッチ２２を図８のパターン１に切り替えるとともに接続設定用スイッチ２３を同じくこのパターン１に切り替え、続いて接続設定用スイッチ２２を図８のパターン２に切り替えるとともに接続設定用スイッチ２３を同じくこのパターン２に切り替え、…というように、接続設定用スイッチ２２と接続設定用スイッチ２３との両方を同時にこの図８の６つのパターンに切り替える。
【００８５】
これにより、図８のパターン１では、発振器３１からの交流信号が４端子モジュラーケーブルＣ２のうちの２つの端子Ｐ１，Ｐ２を通して受話器３に供給され、それに応答する受話器３からの信号が４端子モジュラーケーブルＣ２の端子Ｐ１，Ｐ２から接続設定用スイッチ２３を介してレベル検出器３４に供給されるので、レベル検出器３４で検出された振幅レベル（この振幅レベルはインピーダンスに比例する）に基づいて受話器３のインピーダンスの相対レベルを測定することができる。
【００８６】
また、図８のパターン２では、発振器３１からの交流信号が４端子モジュラーケーブルＣ２のうちの２つの端子Ｐ１，Ｐ３を通して受話器３に供給され、それに応答する受話器３からの信号が４端子モジュラーケーブルＣ２の端子Ｐ１，Ｐ３から接続設定用スイッチ２３を介してレベル検出器３４に供給されるので、レベル検出器３４で検出された振幅レベルに基づいて受話器３のインピーダンスの相対レベルを測定することができる。
【００８７】
また、図８のパターン３では、発振器３１からの交流信号が４端子モジュラーケーブルＣ２のうちの２つの端子Ｐ１，Ｐ４を通して受話器３に供給され、それに応答する受話器３からの信号が４端子モジュラーケーブルＣ２の端子Ｐ１，Ｐ４から接続設定用スイッチ２３を介してレベル検出器３４に供給されるので、レベル検出器３４で検出された振幅レベルに基づいて受話器３のインピーダンスの相対レベルを測定することができる。
【００８８】
また、図８のパターン４では、発振器３１からの交流信号が４端子モジュラーケーブルＣ２のうちの２つの端子Ｐ２，Ｐ３を通して受話器３に供給され、それに応答する受話器３からの信号が４端子モジュラーケーブルＣ２の端子Ｐ２，Ｐ３から接続設定用スイッチ２３を介してレベル検出器３４に供給されるので、レベル検出器３４で検出された振幅レベルに基づいて受話器３のインピーダンスの相対レベルを測定することができる。
【００８９】
また、図８のパターン５では、発振器３１からの交流信号が４端子モジュラーケーブルＣ２のうちの２つの端子Ｐ２，Ｐ４を通して受話器３に供給され、それに応答する受話器３からの信号が４端子モジュラーケーブルＣ２の端子Ｐ２，Ｐ４から接続設定用スイッチ２３を介してレベル検出器３４に供給されるので、レベル検出器３４で検出された振幅レベルに基づいて受話器３のインピーダンスの相対レベルを測定することができる。
【００９０】
また、図８のパターン６では、発振器３１からの交流信号が４端子モジュラーケーブルＣ２のうちの２つの端子Ｐ３，Ｐ４を通して受話器３に供給され、それに応答する受話器３からの信号が４端子モジュラーケーブルＣ２の端子Ｐ３，Ｐ４から接続設定用スイッチ２３を介してレベル検出器３４に供給されるので、レベル検出器３４で検出された振幅レベルに基づいて受話器３のインピーダンスの相対レベルを測定することができる。
【００９１】
このようにして、受話器３に接続されている４端子モジュラーケーブルＣ２の端子Ｐ１〜Ｐ４のうちの２つの端子に交流信号を供給して受話器３のインピーダンスを測定する処理が、２つの端子の組合せを「Ｐ１とＰ２」，「Ｐ１とＰ３」，「Ｐ１とＰ４」，「Ｐ２とＰ３」，「Ｐ２とＰ４」，「Ｐ３とＰ４」の６パターンに切り替えて行われる。
【００９２】
図５に示すように、ステップＳ３が終了すると、この「Ｐ１とＰ２」，「Ｐ１とＰ３」，「Ｐ１とＰ４」，「Ｐ２とＰ３」，「Ｐ２とＰ４」，「Ｐ３とＰ４」の６パターンの端子の組合せのうち、インピーダンス測定レベルが閾値６０ｈ（１６進数）を超えている組があるか否かを判断する（ステップＳ４）。
【００９３】
４端子モジュラーケーブルＣ２のうちのスピーカ接続用の端子とマイクロホン接続用の端子との組を通して受話器３に交流信号が供給された場合には、スピーカ接続用の端子とマイクロホン接続用の端子とは互いに接続されていないので、受話器３のインピーダンスは無限大になる。ステップＳ４の閾値６０ｈは、４端子モジュラーケーブルのうちのスピーカ接続用の端子とマイクロホン接続用の端子との組を通して一般の電話機の受話器に交流信号が供給された場合のインピーダンスの測定レベルに対応して、マイクロコンピュータ３５内に予め設定した値である。
【００９４】
ステップＳ４でイエスであれば、異常と判定し、異常を知らせる表示（例えば点滅表示）をＬＥＤ１２（図２Ａ）に行わせて（図６のステップＳ１８）、処理を終了する。これは、電話機用スイッチ装置１の受話器用モジュラージャック１４（図２Ｂ）に受話器３ではなく誤って電話機本体２のほうが接続されていると、電話機本体３からのダイヤルトーン信号等を検出することにより、インピーダンスの測定レベルが非常に大きくなる（閾値６０ｈを超える）ので、その場合には異常と判定して処理を終了するようにしたものである。
【００９５】
ステップＳ４でノーであった場合には、この６パターンの端子の組合せのうち、インピーダンスの測定レベルが閾値０４ｈ（１６進数）未満の組があるか否かを判断する（ステップＳ５）。
【００９６】
４端子モジュラーケーブルＣ２のうちのスピーカ接続用の２つの端子を通して受話器３に交流信号が供給された場合には、受話器３のスピーカのインピーダンスが測定される。そして、スピーカはマイクロホンよりもインピーダンスが小さい（一般の電話機の受話器ではスピーカのインピーダンスは１５０Ω程度、マイクロホンのインピーダンスは１ｋΩ程度である）ので、通常の場合には、このスピーカ接続用の２つの端子の組でインピーダンスの測定レベルが最小になる。ステップＳ５の閾値０４ｈは、４端子モジュラーケーブルのうちのスピーカ接続用の２つの端子を通して一般の電話機の受話器に交流信号が供給された場合のインピーダンスの測定レベルに対応して、マイクロコンピュータ３５内に予め設定した値である。
【００９７】
ステップＳ５でイエスであれば、０４ｈ未満であった組を除外して、残りのパターンのうち、インピーダンスの測定レベルが小さい組の順に、３つの組を、スピーカ接続用の端子の候補及びマイクロホン接続用の端子の候補として選定する（ステップＳ１１）。これは、４端子モジュラーケーブルＣ２のうちのいずれか２つの端子が互いに電気的に短絡（ショート）していると、その２つの端子を通して交流信号を供給したときのインピーダンスの測定レベルが非常に小さくなる（閾値０４ｈ未満になる）ので、その端子の組合せは、短絡していると判定して除外するようにしたものである。
【００９８】
ステップＳ５でノーであった場合には、この６パターンの端子の組合せのうち、インピーダンスの測定レベルが２番目に小さい組と、インピーダンスの測定レベルが５番目に小さい組とで、インピーダンスの測定レベルが同じであるか否かを判断する（ステップＳ６）。
【００９９】
イエスであれば、インピーダンスの測定レベルが最小の組と、４端子モジュラーケーブルＣ２の残りの２つの端子の組（例えば測定レベルが最小の組が「Ｐ１とＰ２」であれば「Ｐ３とＰ４」の組）との２つの組を候補として選定する（ステップＳ１０）。
【０１００】
４端子モジュラーケーブルＣ２のうちのマイクロホン接続用の２つの端子を通して受話器３に交流信号が供給された場合には、受話器３のマイクロホンのインピーダンスが測定される。そして、前述のようにマイクロホンはスピーカよりもインピーダンスが大きいので、通常の場合には、このマイクロホン接続用の２つの端子の組でインピーダンスの測定レベルが２番目に小さくなる。しかし、受話器３に用いられているマイクロホンの種類によっては、４端子モジュラーケーブルＣ２のうちのマイクロホン接続用の２つの端子の組とスピーカ接続用，マイクロホン接続用の１つずつの端子の組とでインピーダンスにほとんど差がなく、その結果、インピーダンスの測定レベルが２番目に小さい組から５番目に小さい組までで測定レベルが同じになるかまたはほとんど差がなくなる（それらの組のうちのどれがマイクロホン接続用の２つの端子であるか区別し難い）ことがある。そこで、ステップＳ６，Ｓ１０では、インピーダンスの測定レベルが２番目に小さい組と５番目に小さい組とで測定レベルが同じである場合には、インピーダンスの測定レベルが最小の組と、４端子モジュラーケーブルＣ２の残りの２つの端子の組とを候補として選定するようにしたものである。
【０１０１】
ステップＳ６でノーであった場合には、６パターンの端子の組合せのうち、インピーダンスの測定レベルが２番目に小さい組と、インピーダンスの測定レベルが３番目に小さい組とで、インピーダンスのレベルが同じであるか否かを判断する（ステップＳ７）。
【０１０２】
イエスであれば、インピーダンスの測定レベルが最小の組と、インピーダンスの測定レベルが２番目に小さい組と、インピーダンスの測定レベルが３番目に小さい組との３つの組を、スピーカ接続用の端子の候補及びマイクロホン接続用の端子の候補として選定する（ステップＳ９）。
【０１０３】
電話機のメーカーや機種によっては、図９に例示するように、４端子モジュラーケーブルのうちの同じ１つの端子を、スピーカ接続用の端子とマイクロホン接続用の端子とに共用していることがある。電話機用スイッチ装置１がそうした電話機に接続されている場合には、マイクロホン専用の端子とスピーカ・マイクロホン共用の端子とでインピーダンスにほとんど差がなく、その結果、インピーダンスの測定レベルが２番目に小さい組と３番目に小さい組とで測定レベルが同じになるかまたはほとんど差がなくなる（それらの組のうちのどれがマイクロホン接続用の２つの端子であるか区別し難い）ことがある。そこで、ステップＳ７，Ｓ９では、インピーダンスの測定レベルが２番目に小さい組と３番目に小さい組とで測定レベルが同じである場合には、インピーダンスの測定レベルが最小の組と２番目に小さい組との２組だけでなく、インピーダンスの測定レベルが３番目に小さい組をも候補として選定するようにしたものである。
【０１０４】
ステップＳ７でノーであった場合には、インピーダンスの測定レベルが最小の組と、インピーダンスの測定レベルが２番目に小さい組との２つの組を、スピーカ接続用の端子の候補及びマイクロホン接続用の端子の候補として選定する（ステップＳ８）。
【０１０５】
ステップＳ８，Ｓ９，Ｓ１０またはＳ１１を終了すると、候補として選定された組と、インピーダンスの測定レベルが最大の組とで、インピーダンスのレベルの差が一定値０２ｈ（１６進数）以下であるか否かを判断する（ステップＳ１２）。
【０１０６】
イエスであれば、異常と判定し、異常を知らせる表示をＬＥＤ１２（図２Ａ）に行わせて（図６のステップＳ１８）、処理を終了する。これは、電話機用スイッチ装置１に誤って受話器３が接続されていないと、６パターンの端子の組合せのうちのどの組でのインピーダンス測定レベルにもほとんど差がなくなるので、候補として選定された組とインピーダンスの測定レベルが最大の組とでインピーダンスのレベルの差が０２ｈ以下である場合には、異常と判定して処理を終了するようにしたものである。
【０１０７】
ステップＳ１２でノーであった場合には、図６に示すように、本体切離し用スイッチ２１（図４）をオンにする（ステップＳ１３）。受話器３は予めオンフックされているので、これによって電話機本体２から受話器３にダイヤルトーン信号が供給される。
【０１０８】
続いて、接続設定用スイッチ２３（図４）を、ステップＳ８，Ｓ９，Ｓ１０またはＳ１１で候補として選定された各組に対応するパターン（例えば「Ｐ１とＰ２」，「Ｐ３とＰ４」との２組が候補として選定された場合には図８のパターン１，パターン６）に切り替えつつ、レベル検出器３４（図４）で検出される電話機本体２からの信号の振幅レベルから、ダイヤルトーン信号のレベルを測定する（ステップＳ１４）。
【０１０９】
そして、ダイヤルトーン信号の測定レベルの最大値が、閾値０Ｃｈ（１６進数）以下であるか否かを判断する（ステップＳ１５）。ダイヤルトーン信号は電話機本体２から受話器３のスピーカに送られるので、ダイヤルトーン信号の測定レベルは、４端子モジュラーケーブルＣ１のうちのスピーカ接続用の２つの端子の組で最大になる。ステップＳ１４の閾値０Ｃｈは、一般の電話機におけるダイヤルトーン信号の最小レベルよりも僅かに小さいレベルとして、マイクロコンピュータ３５内に予め設定した値である。
【０１１０】
イエスであれば、異常と判定し、異常を知らせる表示をＬＥＤ１２（図２Ａ）に行わせて（ステップＳ１８）、処理を終了する。これは、電話機用スイッチ装置１に誤って電話機本体２が接続されていないと、ダイヤルトーン信号が供給されず、４端子モジュラーケーブルＣ１のうちのスピーカ接続用の２つの端子の組でもダイヤルトーン信号の測定レベルが非常に小さくなる（閾値０Ｃｈ以下になる）ので、その場合には異常と判定して処理を終了するようにしたものである。
【０１１１】
ステップＳ１５でノーであった場合には、ダイヤルトーン信号の測定レベルの最小値が、この閾値０Ｃｈ以上であるか否かを判断する（ステップＳ１６）。
【０１１２】
イエスであれば、異常と判定し、異常を知らせる表示をＬＥＤ１２（図２Ａ）に行わせて（ステップＳ１８）、処理を終了する。これは、マイクロホン接続用の２つの端子の組についてはダイヤルトーン信号の測定レベルが一般の電話機のダイヤルトーン信号の最小レベルよりも小さくなると考えられるので、ダイヤルトーン信号の測定レベルの最小値が閾値０Ｃｈ以上である場合には、異常（候補として選定された所定数の組の中に、マイクロホン接続用の２つの端子の組が含まれていなかった）と判定して処理を終了するようにしたものである。なお、図５，図６では、ステップＳ４，Ｓ１２，Ｓ１５，Ｓ１６で異常と判定した場合に同じステップＳ１８に進んでＬＥＤ１２に表示を行わせるように描いているが、それぞれの異常の原因に応じてＬＥＤ１２での表示の態様を異ならせることが好適である。
【０１１３】
ステップＳ１６でノーであった場合には、ステップＳ８，Ｓ９，Ｓ１０またはＳ１１で候補として選定された各組のうち、ダイヤルトーン信号の測定レベルが最大の組をスピーカ接続用の２つの端子として識別し、ダイヤルトーン信号の測定レベルが最小の組をマイクロホン接続用の２つの端子として識別して、その識別結果を記憶する（過去にこの接続パターン識別処理を行って識別結果を記憶している場合には、今回の識別結果を上書きして記憶する）（ステップＳ１７）。そして処理を終了する。
【０１１４】
この接続パターン識別処理を終了した後、通常の使用時（受話器３または外部音声Ｉ／Ｏ装置４で通話を行うとき）に受話器３がフックスイッチ１１（図２Ａ）に置かれることによってオンフックされると（図３）と、マイクロコンピュータ３５は、接続設定用スイッチ２２（図４）を、このステップＳ１７でマイクロホン接続用の２つの端子として識別された組に対応するパターン（例えば「Ｐ１とＰ２」がマイクロホン接続用の２つの端子として識別された場合には図８のパターン１）に切り替えるとともに、接続設定用スイッチ２３（図４）を、このステップＳ１７でスピーカ接続用の２つの端子として識別された組に対応するパターン（例えば「Ｐ３とＰ４」がスピーカ接続用の２つの端子として識別された場合には図８のパターン６）に切り替える。
【０１１５】
これにより、電話機の４端子モジュラーケーブルの接続パターンに応じた外部音声Ｉ／Ｏ装置４との接続の設定が自動的に行われて、外部音声Ｉ／Ｏ装置４で通話を行うことができる。
【０１１６】
このように、この電話機用スイッチ装置１では、
（ａ）受話器３に接続される４端子モジュラーケーブルＣ２の４つの端子Ｐ１〜Ｐ４のうち、スピーカ接続用の２つの端子の組に交流信号を供給した場合やマイクロホン接続用の２つの端子の組に交流信号を供給した場合の受話器のインピーダンスが小さくなることと、
（ｂ）電話機本体２に接続される４端子モジュラーケーブルＣ１の４つの端子Ｐ１〜Ｐ４のうち、スピーカ接続用の２つの端子の組でダイヤルトーン信号のレベルが最大になり、マイクロホン接続用の２つの端子の組でダイヤルトーン信号のレベルが最小になることと
の２つを利用して電話機の４端子モジュラーケーブルの接続パターンを識別する（図５，図６のステップＳ１〜Ｓ３，Ｓ８，Ｓ１３，Ｓ１４，Ｓ１７）。これにより、電話機用スイッチ装置１に接続される電話機の４端子モジュラーケーブルの接続パターンを高精度に識別することができる。
【０１１７】
また、接続パターン識別処理時に、電話機用スイッチ装置１の受話器用モジュラージャック１４（図２Ｂ）に受話器３ではなく誤って電話機本体２のほうが接続されている場合には、異常と判定して処理を終了する（図５，図６のステップＳ４，Ｓ１８）ので、受話器３のほうを接続し直した上で改めて接続パターン識別処理を開始させることにより、電話機の４端子モジュラーケーブルの接続パターンを高精度に識別することができる。
【０１１８】
また、受話器３に接続されている４端子モジュラーケーブルＣ２のうちのいずれか２つの端子が互いに短絡している場合には、その短絡している組を除外して候補を選定する（図５のステップＳ５，Ｓ１１）ので、電話機の４端子モジュラーケーブルの接続パターンを高精度に識別することができる。
【０１１９】
また、受話器３に用いられているマイクロホンの種類によっては、４端子モジュラーケーブルＣ２のうちのマイクロホン接続用の２つの端子の組とスピーカ接続用，マイクロホン接続用の１つずつの端子の組とでインピーダンスにほとんど差がないことがあるが、その場合にも、インピーダンスの測定レベルが最も小さい組と、４端子モジュラーケーブルの残りの２つの端子の組との２組を候補として選定する（図５のステップＳ６，Ｓ１０）ので、電話機の４端子モジュラーケーブルの接続パターンを高精度に識別することができる。
【０１２０】
また、電話機のメーカーや機種によっては、４端子モジュラーケーブルのうちの同じ１つの端子を、スピーカ接続用の端子とマイクロホン接続用の端子とに共用していることがあるが、電話機用スイッチ装置１がそうした電話機に接続されている場合にも、インピーダンスの測定レベルが最小の組と２番目に小さい組との２組だけでなく、インピーダンスの測定レベルが３番目に小さい組をも候補として選定する（図５のステップＳ７，Ｓ９）ので、４端子モジュラーケーブルの接続パターンを高精度に識別することができる。
【０１２１】
また、接続パターン識別処理時に、電話機用スイッチ装置１に誤って受話器３が接続されていない場合には、異常と判定して処理を終了する（図５，図６のステップＳ１２，Ｓ１８）ので、受話器３を接続した上で改めて接続パターン識別処理を開始させることにより、電話機の４端子モジュラーケーブルの接続パターンを高精度に識別することができる。
【０１２２】
また、接続パターン識別処理におけるトーンレベル測定時に、電話機用スイッチ装置１に誤って電話機本体２が接続されていない場合にも、異常と判定して処理を終了する（図６のステップＳ１５，Ｓ１８）ので、電話機本体２を接続した上で改めて接続パターン識別処理を開始させることにより、電話機の４端子モジュラーケーブルの接続パターンを高精度に識別することができる。
【０１２３】
また、接続パターン識別処理での候補の選定になんらかの原因で誤りがあった（候補として選定された所定数の組の中に、マイクロホン接続用の２つの端子の組が含まれていなかった）場合にも、異常と判定して処理を終了する（図６のステップＳ１６，Ｓ１８）ので、改めて接続パターン識別処理を開始させて候補の選定をやり直すことができる。
【０１２４】
また、接続パターン識別処理中に異常と判定されたことがＬＥＤ１２に表示される（図６のステップＳ１８）ので、ユーザーが、異常があったことをすばやく確認することができる。
【０１２５】
また、接続パターン識別処理が正常に終了した後、受話器３をオンフックすると、電話機の４端子モジュラーケーブルの接続パターンに応じた外部音声Ｉ／Ｏ装置４との接続の設定が自動的に行われて、外部音声Ｉ／Ｏ装置４で通話を行うことができる。
【０１２６】
また、エコーキャンセラ２８が設けられているので、外部音声Ｉ／Ｏ装置４での通話時に、外部音声Ｉ／Ｏ装置４においてスピーカから出た音声がマイクロホンで拾われることによるエコーの発生を防止することができる。
【０１２７】
なお、以上の例では、スピーカとマイクロホンとが一体となった据え置き型の装置である外部音声Ｉ／Ｏ装置４で通話を行うための電話機用スイッチ装置に本発明を適用している。しかし、これに限らず、ヘッドセットで通話を行うための電話機用スイッチ装置に本発明を適用してもよい。
【図面の簡単な説明】
【０１２８】
【図１】本発明に係る電話機用スイッチ装置を用いたシステムの構成を示す図である。
【図２】本発明に係る電話機用スイッチ装置の外観構成を示す図である。
【図３】本発明に係る電話機用スイッチ装置で受話器をオンフックした状態を示す図である。
【図４】本発明に係る電話機用スイッチ装置の回路構成を示すブロック図である。
【図５】図４のマイクロコンピュータが実行する接続パターン識別処理を示すフローチャートである。
【図６】図４のマイクロコンピュータが実行する接続パターン識別処理を示すフローチャートである。
【図７】４端子モジュラーケーブルの接続パターンを示す図である。
【図８】接続パターン識別処理でのインピーダンス測定時の図４の接続設定用スイッチの切替えパターンを示す図である。
【図９】１つの端子をスピーカ・マイクロホンに共用した接続パターンを例示す図である。
【符号の説明】
【０１２９】
１  電話機用スイッチ装置、  ２  電話機本体、  ３  受話器、  ４  外部音声Ｉ／Ｏ装置、  １１  フックスイッチ、  １２  ＬＥＤ、  １３  電話機本体用モジュラージャック、  １４  受話器用モジュラージャック、  １５  外部音声Ｉ／Ｏ装置用コネクタ、  １６  接続設定釦、  ２１  本体切離し用スイッチ、  ２２，２３  接続設定用スイッチ、  ２４  受話器切離し用スイッチ、  ３１  受話器インピーダンス測定用発振器、  ３４  レベル検出器、  ３５  マイクロコンピュータ、  Ｃ１，Ｃ２  ４端子モジュラーケーブル、  Ｃ３  ケーブル
【図１】
2006005473.tif 000003
【図２】
2006005473.tif 000004
【図３】
2006005473.tif 000005
【図４】
2006005473.tif 000006
【図５】
2006005473.tif 000007
【図６】
2006005473.tif 000008
【図７】
2006005473.tif 000009
【図８】
2006005473.tif 000010
【図９】
2006005473.tif 000011